(57)【要約】      （修正有）【課題】利用者が飲料水を入れて持ち運び可能で、繰り返し使用できるボトルに水道からおいしい水を手軽に供給することができる飲用水自動販売機を提供する。【解決手段】ボトル１０に飲料水を供給する飲料水用自動販売機１であって、水道水を除塵するためのストレーナ５と、水道水を浄化して飲料水にする浄活水器２、３と、上記浄活水器２、３で浄化された飲料水を冷却する冷却装置４と、上記ボトル１０をセットし、上記冷却水で冷却された飲料水を上記ボトル１０に供給する給水装置６とを自動販売機本体内部に備え、自動販売機本体前面の洗浄用ボタン１７を押すと、洗浄電磁弁１２が作動し、水道水がノズル９から吐出され、給水用ボタン１８を押すと、給水電磁弁１１が作動し、飲料水が上記ノズル９から吐出されて上記ボトル１０に飲料水を供給する。【選択図】図２
2010039699.tif 000002
【特許請求の範囲】
【請求項１】
利用者が飲料水を入れて持ち運び可能で、繰り返し使用できるボトルに飲料水を供給する飲料水用自動販売機であって、
水道水を除塵するためのストレーナと、
水道水を浄化して飲料水にする浄活水器と、
上記浄活水器で浄化された飲料水を冷却する冷却装置と、
上記ボトルをセットし、上記冷却水で冷却された飲料水を上記ボトルに供給する給水装置と、
水道水を供給する水道、上記ストレーナ、上記浄活水器、上記冷却装置および上記給水装置を接続するフレキシブルホースとを自動販売機本体内部に備え、
上記浄活水器は、水道水の水質を還元化する機能性セラミックが内部に充填された活水器と、気化性物を吸着する成形活性炭と微粒子を除去するファインセラミックフィルターが内部に充填された浄水器とから構成され、
上記給水装置は、上記ボトルをセットする、前面に開口を設けたボックスと、上記飲料水と上記ボトルを洗浄するための水道水とを吐出するためのノズルと、上記ボトルが所定の位置にセットされているかを確認するためのボトルセンサーとを備えており、
上記自動販売機本体前面に、上記ノズルから吐出する洗浄水と飲料水を選択する洗浄用ボタンおよび給水用ボタンと、上記ボトルをセットするボックスの開口を閉じるための扉と、コインセレクターとを設け、上記洗浄用ボタンを押すと、上記水道と上記ノズルを接続するフレキシブルホースに設けられた洗浄電磁弁が作動し、水道水が上記ノズルから吐出され、上記給水用ボタンを押すと、上記冷却装置と上記ノズルとを接続するフレキシブルホースに設けられた給水電磁弁が作動し、飲料水が上記ノズルから吐出されて上記ボトルに飲料水を供給することを特徴とする飲料水用自動販売機。
【請求項２】
上記冷却装置は、冷却用の水を収容する本体と、上記本体の略中央に螺旋状に配置された熱交換器である銅管と、上記銅管を取り囲むように螺旋状に配管された、飲料水が通過するステンレスフレキシブルパイプと、温度センサーとを備え、上記温度センサーによって温度管理を行いながら、上記熱交換器によって上記銅管の周囲の冷却用の水を所定の範囲を冷却して凍らせて氷とし、上記氷によって上記ステンレスフレキシブルパイプを通過する飲料水を冷却することを特徴とする請求項１に記載の飲料水用自動販売機。
【請求項３】
上記冷却装置と上記ノズルとを接続するフレキシブルホースの途中から上記冷却装置へと接続する、パージ電磁弁が取り付けられたフレキシブルホースを設け、上記パージ電磁弁は上記洗浄用ボタンによって作動し、上記洗浄電磁弁が作動している間、上記冷却装置と上記ノズルとを接続するフレキシブルホースに滞留している飲料水を上記冷却装置に冷却用の水として排出することを特徴とする請求項１または２に記載の飲料水用自動販売機。
【請求項４】
上記機能性セラミックは、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有し、上記ファインセラミックフィルターは、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有するセラミック組成物で形成され、表面にＳｉＯ2またはＡｌ2Ｏ3の表面層を有することを特徴とする請求項１から３のいずれか１項に記載の飲料水用自動販売機。
【発明の詳細な説明】
【技術分野】
【０００１】
本発明は、水道水を浄水器でミネラル豊富な飲料水に変えて、利用者が飲料水を入れて持ち運び可能で、繰り返し使用できるボトルに供給する飲料水自動販売機に関する。
【背景技術】
【０００２】
従来の飲料用自動販売機としては、飲料を予めペットボトルやスチール缶、アルミ缶等に入れて販売するものや、自動販売機でカップに飲料を入れて販売するもの（特許文献１参照）など様々なものが用いられている。
【０００３】
上述のような自動販売機では、容器はそのまま再利用するものではなく、使い捨てであり、そのままごみとして処分するか、リサイクルして利用する場合もあるが、容器を完全に再利用しているものは無い。
【特許文献１】特開２００８−１２３３０４号公報
【発明の開示】
【発明が解決しようとする課題】
【０００４】
しかしながら、昨今の環境への意識が向上する中、従来の自動販売機のような使い捨ての容器を用いたものは、資源の無駄遣いあるいはＣＯ２排出の点からすると、問題が多いといわざるを得ない。また、最近は環境問題を考えて、マイボトルに飲料水等を入れて持ち歩く人も増えているが、空になったマイボトルに飲料水を供給する方法としては、水道から直接水を入れるか、ペットボトル等で販売されている飲み物を入れるしかない。
【０００５】
そこで、本発明はこのような従来の課題を解決するために、利用者が飲料水を入れて持ち運び可能で、繰り返し使用できるボトルに水道からおいしい飲料水を手軽に供給することができる飲料水用自動販売機を提供することを目的とする。
【課題を解決するための手段】
【０００６】
本発明の飲料水用自動販売機は、ボトルに飲料水を供給する飲料水用自動販売機であって、水道水を除塵するためのストレーナと、水道水を浄化して飲料水にする浄活水器と、上記浄活水器で浄化された飲料水を冷却する冷却装置と、上記ボトルをセットし、上記冷却水で冷却された飲料水を上記ボトルに供給する給水装置と、水道水を供給する水道、上記ストレーナ、上記浄活水器、上記冷却装置および上記給水装置を接続するフレキシブルホースとを自動販売機本体内部に備え、上記浄活水器は、水道水の水質を還元化する機能性セラミックが内部に充填された活水器と、気化性物を吸着する成形活性炭と微粒子を除去するファインセラミックフィルターが内部に充填された浄水器とから構成され、上記給水装置は、上記ボトルをセットする、前面に開口を設けたボックスと、上記飲料水と上記ボトルを洗浄するための水道水とを吐出するためのノズルと、上記ボトルが所定の位置にセットされているかを確認するためのボトルセンサーとを備えており、上記自動販売機本体前面に、上記ノズルから吐出する洗浄水と飲料水を選択する洗浄用ボタンおよび給水用ボタンと、上記ボトルをセットするボックスの開口を閉じるための扉と、コインセレクターとを設け、上記洗浄用ボタンを押すと、上記水道と上記ノズルを接続するフレキシブルホースに設けられた洗浄電磁弁が作動し、水道水が上記ノズルから吐出され、上記給水用ボタンを押すと、上記冷却装置と上記ノズルとを接続するフレキシブルホースに設けられた給水電磁弁が作動し、飲料水が上記ノズルから吐出されて上記ボトルに飲料水を供給することを特徴とする。
【０００７】
上記冷却装置は、冷却用の水を収容する本体と、上記本体の略中央に螺旋状に配置された熱交換器である銅管と、上記銅管を取り囲むように螺旋状に配管された、飲料水が通過するステンレスフレキシブルパイプと、温度センサーとを備え、上記温度センサーによって温度管理を行いながら、上記熱交換器によって上記銅管の周囲の冷却用の水を所定の範囲を冷却して凍らせて氷とし、上記氷によって上記ステンレスフレキシブルパイプを通過する飲料水を冷却する。
【０００８】
上記冷却装置と上記ノズルとを接続するフレキシブルホースの途中から上記冷却装置へと接続する、パージ電磁弁が取り付けられたフレキシブルホースを設け、上記パージ電磁弁は上記洗浄用ボタンによって作動し、上記洗浄電磁弁が作動している間、上記冷却装置と上記ノズルとを接続するフレキシブルホースに滞留している飲料水を上記冷却装置に冷却用の水として排出する。
【０００９】
上記機能性セラミックは、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有し、上記ファインセラミックフィルターは、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有するセラミック組成物で形成され、表面にＳｉＯ2またはＡｌ2Ｏ3の表面層を有する。
【発明の効果】
【００１０】
本発明の飲料水用自動販売機は、ボトルに飲料水を供給する飲料水用自動販売機であって、水道水を除塵するためのストレーナと、水道水を浄化して飲料水にする浄活水器と、上記浄活水器で浄化された飲料水を冷却する冷却装置と、上記ボトルをセットし、上記冷却水で冷却された飲料水を上記ボトルに供給する給水装置と、水道水を供給する水道、上記ストレーナ、上記浄活水器、上記冷却装置および上記給水装置を接続するフレキシブルホースとを自動販売機本体内部に備え、上記浄活水器は、水道水の水質を還元化する機能性セラミックが内部に充填された活水器と、気化性物を吸着する成形活性炭と微粒子を除去するファインセラミックフィルターが内部に充填された浄水器とから構成され、上記給水装置は、上記ボトルをセットする、前面に開口を設けたボックスと、上記飲料水と上記ボトルを洗浄するための水道水とを吐出するためのノズルと、上記ボトルが所定の位置にセットされているかを確認するためのボトルセンサーとを備えており、上記自動販売機本体前面に、上記ノズルから吐出する洗浄水と飲料水を選択する洗浄用ボタンおよび給水用ボタンと、上記ボトルをセットするボックスの開口を閉じるための扉と、コインセレクターとを設け、上記洗浄用ボタンを押すと、上記水道と上記ノズルを接続するフレキシブルホースに設けられた洗浄電磁弁が作動し、水道水が上記ノズルから吐出され、上記給水用ボタンを押すと、上記冷却装置と上記ノズルとを接続するフレキシブルホースに設けられた給水電磁弁が作動し、飲料水が上記ノズルから吐出されて上記ボトルに飲料水を供給することにより、利用者が持ってきたボトルに、水道水からミネラル豊富な飲料水を簡単に販売することができる。
【００１１】
上記冷却装置と上記ノズルとを接続するフレキシブルホースの途中から上記冷却装置へと接続する、パージ電磁弁が取り付けられたフレキシブルホースを設け、上記パージ電磁弁は上記洗浄用ボタンによって作動し、上記洗浄電磁弁が作動している間、上記冷却装置と上記ノズルとを接続するフレキシブルホースに滞留している飲料水を上記冷却装置に冷却用の水として排出することにより、冷却装置とノズルの間のフレキシブルホースに滞留した飲料水が温かくなった場合でも、温かい飲料水を排出して、いつも冷却された飲料水をボトルに供給することができる。
【００１２】
上記機能性セラミックは、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有し、上記ファインセラミックフィルターは、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有するセラミック組成物で形成され、表面にＳｉＯ2またはＡｌ2Ｏ3の表面層を有することにより、水道水からミネラル豊富でまろやかな飲料水を供給することができる。
【発明を実施するための最良の形態】
【００１３】
本発明の飲料水用自動販売機について図面を用いて以下に詳細に説明する。図１に示すのが本発明の飲料水用自動販売機１の外観であり、図２に示すのが飲料水用自動販売機１の概略内部構造である。ここでは、利用者が飲料水を入れて持ち運び可能で、繰り返し使用できるボトルとしてステンレスボトル１０を用いて説明するが、ステンレスボトルに限定するものではなく、例えば、陶器のボトル等も使用可能である。
【００１４】
図２に示すように、本発明の飲料水用自動販売機１は、本体２０の内部に、水道水を除塵するためのストレーナ５と、水道水を浄化して飲料水にする浄活水器と、上記浄活水器で浄化された飲料水を冷却する冷却装置４と、上記ステンレスボトル１０をセットし、上記冷却装置４で冷却された飲料水を上記ステンレスボトル１０に供給する給水装置６と、水道７、上記ストレーナ５、上記浄活水器、上記冷却装置４および上記給水装置６等を接続するフレキシブルホース８とを備える。
【００１５】
上記浄活水器は、水道水の水質を還元化する機能性セラミック２８を内蔵する活水器２と、気化性物を吸着する成形活性炭２９と微粒子を除去するファインセラミックフィルター３０を内蔵する浄水器３とから構成される。
【００１６】
上記活水器２は、図３に示すように、外筒３１と内筒３２から構成され、上記外筒３１と上記内筒３２には上記機能性セラミック２８が充填されている。そして、上記ストレーナ５を通ってきた水は、上記外筒３１に充填された機能性セラミック２８から上気内筒３２に充填された機能性セラミック２８を通過し、還元質傾向になり水素イオン豊富な飲料水に変換される。
【００１７】
上記機能性セラミック２８は、ＳｉＯ2：５５〜７５重量％、Ａｌ2Ｏ3：７．５〜２０重量％およびＦｅ：３〜１０重量％を含有すると共にＣａとＮａとＭｇとＫを合計量で５〜１５重量％含有するセラミック組成物で形成されたものである。上記機能性セラミック２８は均質に一体成形しても良いが、少なくとも表面がこのようなセラミックで形成されていればよいので、高温に耐える種々の基材の表面に釉薬（上薬）を塗布し、これを焼成することによって少なくとも表面を所定のセラミックで形成することができる。
【００１８】
このようなセラミック組成物の例として、具体的には花崗岩を主成分とするものを採用できる。花崗岩の組成は、例えばＮａ2Ｏ：１.０〜２.５重量％、ＭｇＯ：１.０〜２.５重量％、Ａｌ2Ｏ3：１３〜２０重量％、ＳｉＯ2：５５〜７０重量％、ＳＯ3：１.０〜２.０重量％、Ｋ2Ｏ：３〜４重量％、ＣａＯ：２〜４重量％、ＴｉＯ2：０.５〜１.２重量％およびＦｅ2Ｏ3：７〜１５重量％である。
【００１９】
上記機能性セラミック２８として、粒状セラミック材を用いる場合、例えば直径３〜１２ｍｍ程度の球状粒に形成したものを採用できる。また、無機質の発泡体や焼結体を基材として用いる場合は、通気孔０．１ｎｍ〜１００ｎｍ程度の連通気孔を有する多孔質材であることが好ましい。
【００２０】
また、上記機能性セラミック２８として、ミネラル抽出用セラミック材を管の内部に設けた格子の表面に釉薬として被覆し、焼成することによって、格子状セラミック材その他のハニカム状セラミック材などに形成することもできる。格子の間隔や孔径は、例えば０．５〜２ｍｍにすると水との接触効率がよくて好ましい。
【００２１】
また、釉薬として、Ｎａ、Ｍｇ、Ａｌ、Ｓｉ、Ｓ、Ｋ、Ｃａ、ＴｉおよびＦｅを主成分として酸化物換算で９５重量％以上含有する鉱物微粉１００重量部、リン化チタン（ＴｉＰ）１〜４重量部、酸化マンガン３〜５重量部および磁鉄鉱１〜２重量部を含んでいるセラミック組成物を採用することができる。
【００２２】
上記浄水器３は、図４に示すように、外筒３１の下段に５μｍ以下の微粒子を吸着除去できるような微細な気孔を有する成形活性炭２９が充填され、上段に微粒子を除去するファインセラミックフィルター３０が充填されている。さらに、下段に充填された成形活性炭２９の中央にはセラミックの充填材３３が配置されている。上記浄水器３に送られた水は、初めに下段の成形活性炭２９を通過し、さらに中央のセラミックの充填材を通過して、遊離塩素等の気化物質が除去され、次に上段のファインセラミックフィルター３０を通過してダイオキシンや金属質等の粒径が１００ｎｍ以上の微粒子が除去される。これにより、水本来のミネラルを活かし、余分なものを取除くことでおいしい飲料水を供給することができる。
【００２３】
上記浄水器３に充填された上記ファインセラミックフィルター３０は、セラミックの多孔体からなる基材の表面または中間層に、フィルタの濾過性能を決定する気孔径の分離層を形成したものであり、ＳｉＯ2：５５〜７５重量％、Ａｌ2Ｏ3：７．５〜２０重量％およびＦｅ：３〜１０重量％を含有すると共に、ＣａとＮａとＭｇとＫを合計量で５〜１５重量％含有するセラミック組成物で基材を形成し、表面層をＳｉＯ2またはＡｌ2Ｏ3で形成し、粒径が１００ｎｍ以上の高分子、微生物、金属微粒子をも分離し、粒径が０．１ｎｍ〜２０ｎｍ程度のイオン化されたミネラルを通過させるものを採用することが好ましい。
【００２４】
上記給水装置６は、上記ステンレスボトル１０をセットする、前面に開口を設けたボックス２１と、上記ボックス２１の上面に設けられた、飲料水と上記ステンレスボトル１０を洗浄するための水道水とを吐出するためのノズル９と、上記ボックス２１の背面に設けられた、上記ステンレスボトル１０が所定の位置にセットされているかを確認するためのボトルセンサー１６とを備える。
【００２５】
上記給水装置６は、さらに、上記ステンレスボトル１０を所定の位置にセットするために凹部を設けた受け台２２と、排水用に上記受け台２２の下部に設けられた排水トレイ２３を備える。上記受け台２２の凹部は上記ステンレスボトル１０の底面がほぼ収まる大きさ（Φ７０ｍｍの円形）に形成され、所定の大きさよりも大きいボトルはセットできないようにされている。
【００２６】
上記ボトルセンサー１６を上記ステンレスボトル１０の背面と正面の下の方に位置するように上記給水装置６に設け、上記ボトルセンサー１６の表面から１ｍｍ以内に上記ステンレスボトル１０が存在するかどうかを検出するように設定し、背面と正面に設けられた２個のボトルセンサー１６で同時に上記ステンレスボトル１０が検出されると、所定の大きさのステンレスボトル１０がセットされていると判断する。
【００２７】
そして、Φ６８ｍｍ未満のボトルが受け台２２にセットされている場合には、背面と正面に設けられた２個のボトルセンサー１６は、１個だけがボトルを検出する、あるいは前後に配置された上記ボトルセンサー１６のどちらもボトルを検出しないので、この時には、ボトルの大きさが小さいと判断し、飲料水の供給は行われない。
【００２８】
上記本体２０の前面には、図１に示すように、上記ノズル９から洗浄水と飲料水を吐出させるためのボタン１７，１８，１９と、上記ボックス２１を閉じるための扉２４と、コインセレクター２７とを設ける。上記ボタン１７，１８，１９は、上から順に洗浄用ボタン１７、給水用ボタン（５００ｍｌ）１８、給水用ボタン（３５０ｍｌ）１９となっており、洗浄用ボタン１７を押すと、洗浄用の水道水が供給され、給水用ボタン１８，１９を押すと、ボタンに応じた量（３５０ｍｌあるいは５００ｍｌ）の飲料水が供給される。
【００２９】
上記冷却装置４は、冷却用の水が入れられた本体２５と、上記本体２５の略中央に螺旋状に配置された熱交換器である銅管１５と、上記銅管１５を取り囲むように螺旋状に配管された、飲料水が通過するステンレスフレキシブルパイプ１４と、温度センサー２６とを備える。
【００３０】
上記冷却装置４は、図５に示すように、上記銅管１５によってその周囲の冷却用の水が氷３４となり、その氷３４の周囲を上記ステンレスフレキシブルパイプ１４を飲料水が通過して冷却される構造であり、上記氷３４が大きくなると上記ステンレスレスフレキシブルパイプ１４を通過する飲料水が凍ってしまうので、氷３４が大きくならないように、上記銅管１５と上記ステンレスフレキシブルパイプ１４の間に温度センサー２６を設けている。
【００３１】
上記温度センサー２６によって温度管理を行い、上記温度センサー２６によって水温が０℃以下になるのを感知すると、上記銅管１５による冷却を停止し、氷３４が大きくなるのを防止する。また、上記温度センサー２６によって水温が０℃以上になるのを感知すると上記銅管１５による冷却を開始する。このようにして、上記銅管１５の周囲の水を所定の範囲冷却し凍らせて氷３４を適切な状態に保つ。
【００３２】
水道７、上記ストレーナ５、上記浄活水器、上記冷却装置４および上記給水装置６等を接続するフレキシブルホース８には複数の電磁弁１１，１２，１３を設けている。上記ノズル９と上記冷却装置４を接続するフレキシブルホース８の途中には給水電磁弁１１が設けている。そして、上記給水電磁弁１１と上記ノズル９とを接続するフレキシブルホース８の途中から枝分かれし、水道へと接続されるフレキシブルホース８の途中には洗浄電磁弁１２が設けている。さらに、上記冷却装置４と上記給水電磁弁１１とを接続するフレキシブルホース８の途中から枝分かれし、上記冷却装置４の本体２５へと接続されるフレキシブルホース８の途中にパージ電磁弁１３が設けている。
【００３３】
上記電磁弁１１，１２，１３は上記ボタン１７，１８，１９と連動して作動する。上記洗浄用ボタン１７を押すと、上記洗浄電磁弁１２が作動し、水道水が上記ノズル９から吐出されて上記ステンレスボトル１０を洗浄する。この時、上記給水電磁弁１１は停止しているが、上記パージ電磁弁１３は作動して、上記冷却装置４と上記給水電磁弁１１を接続するフレキシブルホース８内に滞留した飲料水を上記冷却装置に排出する。これは、上記冷却装置４と上記給水電磁弁１１を接続するフレキシブルホース８内に滞留した飲料水は時間と共に水温が上昇するために、温かくなった飲料水を供給しないようにするためである。
【００３４】
そして、上記給水用ボタン１８，１９を押すと、上記給水電磁弁１１が作動し、選択された供給量に応じて飲料水が上記ノズル９から吐出されて上記ステンレスボトル１０に所定量の飲料水が供給される。この時の供給量を制御するためにパルス制御流量計３５を上記冷却装置４と上記給水電磁弁１１の間に設けている。なお、給水前には必ず洗浄を行うように、上記給水用ボタン１８，１９は、上記洗浄用ボタン１７を作動していなければ、作動しない構造としている。
【００３５】
本発明の飲料水用自動販売機１における水道水を飲料水に処理する機構について説明する。まず初めに、水道７から水道水が供給され、上記フレキシブルホース８を通ってストレーナ５に送られる。上記ストレーナ５によって水道水の塵を取除く。
【００３６】
次に、上記活水器２へと送られた水道水は、上記機能性セラミック２８によって水質が還元化され、さらにフレキシブルホース８を経て上記浄水器３へ送られ、下段の上記成形活性炭２９によって遊離塩素等の気化物質が吸着され、上段の上記ファインセラミックフィルター３０によって、細菌、重金属、高分子等の１００ｎｍ以上の微粒子が除去され、粒径が０．１ｎｍ〜２０ｎｍ程度のイオン化されたミネラルを含んだ飲料水となる。さらに、上記冷却装置４へと送られ、約２〜３℃に冷却され、冷たくておいしい飲料水を供給することができる状態となる。
【００３７】
このようにして得られる飲料水は、天然のミネラルバランスを有するものとなり、還元質傾向のまろやかで、遊離塩素や有機物が少ない、ミネラル豊富な非常においしい水となる。そして、水質の分析を行うと日本名水百選と同レベルの水質であることがわかっている。このように、本発明の飲料水用自動販売機１を用いると簡単に水道水からミネラル豊富な冷たくておいしい飲料水を供給することができる。
【００３８】
上記飲料水用自動販売機の使用方法について詳しく説明する。まず初めに、利用者が上記コインセレクター２７に所定の料金を投入すると、上記扉２４のロックが解除される。利用者は上記扉２４を開けて、ステンレスボトルを受け台２２の凹部にセットし、上記扉２４を閉める。この時、ボトルセンサー１６によって、所定のステンレスボトル１０が所定の位置にセットされているかどうかを確認し、問題が無ければ上記扉２４がロックされ、上記洗浄用ボタン１７が点滅する。
【００３９】
利用者は上記洗浄用ボタン１７の点滅を確認したら上記洗浄用ボタン１７を押す。上記洗浄用ボタン１７が押されると、上記洗浄電磁弁１２が作動し、水道水が上記ノズル９から上記ステンレスボトル１０に吐出される。上記ノズル９からの吐出が終わると利用者は上記扉２４を開けて上記ステンレスボトルを洗浄し、上記排水トレイ２３に洗浄した水を排水する。上記洗浄用ボタン１７が押されると、上記パージ電磁弁１３も作動し、上記冷却装置４と上記給水電磁弁１１を接続するフレキシブルホース８内に滞留している飲料水を上記冷却装置４に排出する。
【００４０】
洗浄が終わったら再度、上記ステンレスボトル１０を所定の位置にセットし、扉２４を閉じる。そして、利用者は必要な飲料水の量に応じて、上記給水用ボタン１８，１９を選択して押すと、上記給水電磁弁１１が作動し上記ノズル９から飲料水がステンレスボトル１０に供給される。そして、選択され飲料水の量に応じて、パルス制御流量計３５が作動し、上記給水電磁弁１１を作動させて飲料水の供給を停止する。飲料水の供給が停止したら利用者はステンレスボトル１０を取り出して蓋を閉めると、飲料水の購入が完了する。
【００４１】
このように、本発明の飲料水用自動販売機は、繰り返し使用可能なステンレスボトルに飲料水を供給することで、従来の自動販売機で飲料水を販売する場合と比較すると、より簡単に、より安価に、よりおいしい水を販売することが可能となる。
【００４２】
また、環境問題の観点から考えても、より優れた効果を有することを以下に説明する。ＣＯ２排出量を従来の自動販売機で、飲料水の容器としてスチール缶、アルミ缶、ペットボトル、紙コップを用いて飲料水を販売したケースと本発明のステンレスボトルを用いた飲料水用自動販売機とを比較してみる。
【００４３】
各ケースについて、ＣＯ２排出量を、製造（容器、飲料水、自動販売機の装置の製造）、輸送１（容器と飲料水の輸送）、利用（自動販売機の稼動に必要な電力）、洗浄（本発明の飲料水用自動販売機のみ）、輸送２（容器の回収に関する輸送）、リサイクル追加行程（リサイクル処理）、リサイクル効果（リサイクルによるＣＯ２削減効果）、輸送（容器の焼却・廃棄に必要な輸送）、焼却・埋立（容器の焼却処理、容器の廃棄に伴う埋立処理）の項目毎に算出し、各ケース合計して、飲料水１ｍｌ当りのＣＯ２排出量を求める。ＣＯ２排出量（ｔ−Ｃ／ｍｌ）を表にしたのが以下の表１である。
【００４４】
【表１】
2010039699.tif 000003
【００４５】
そして、得られた結果をグラフにしたのが図６である。本発明の飲料水用自動販売機のＣＯ２は４．４２×１０−８（ｔ−Ｃ／ｍｌ）であり、最もＣＯ２排出量が少ないことがわかる。紙コップ（２．６９×１０−７（ｔ−Ｃ／ｍｌ））と較べると約１／６となり、従来のケースで最も少ないペットボトル（８．１５×１０−８（ｔ−Ｃ／ｍｌ））と比較しても約４割減となっており、ステンレスボトルを用いた本発明のＣＯ２削減効果が大きいことがよくわかる。
【００４６】
このように、本発明の飲料水用自動販売機は、おいしい水を簡単に供給できるだけではなく、ＣＯ２削減にも大きな効果を有している。
【図面の簡単な説明】
【００４７】
【図１】本発明の飲料水用自動販売機の外観を示す前面図である。
【図２】飲料水用自動販売機の概略内部構造を示す図である。
【図３】活水器の断面図である。
【図４】浄水器の断面図である。
【図５】冷却装置の平面図である。
【図６】ＣＯ２削減量のグラフである。
【符号の説明】
【００４８】
１    飲料水用自動販売機
２    活水器
３    浄水器
４    冷却装置
５    ストレーナ
６    給水装置
７    水道
８    フレキシブルホース
９    ノズル
１０  ステンレスボトル
１１  給水電磁弁
１２  洗浄電磁弁
１３  パージ電磁弁
１４  ステンレスフレキシブルパイプ
１５  銅管
１６  ボトルセンサー
１７  洗浄用ボタン
１８  給水用ボタン
１９  給水用ボタン
２０  自動販売機本体
２１  ボックス
２２  受け台
２３  排水トレイ
２４  扉
２５  本体
２６  温度センサー
２７  コインセレクター
２８  機能性セラミック
２９  成形活性炭
３０  ファインセラミックフィルター
３１  外筒
３２  内筒
３３  充填材
３４  氷
３５  パルス流量計
【図１】
2010039699.tif 000004
【図２】
2010039699.tif 000005
【図３】
2010039699.tif 000006
【図４】
2010039699.tif 000007
【図５】
2010039699.tif 000008
【図６】
2010039699.tif 000009